(57)【要約】【課題】レジスタパイプ単位よりも細かい単位で濾過面積を調整する。【解決手段】濾過装置は、一端部に開口を有し、他端部に底部を有する筒形状の複数のフィルタユニットと、フィルタユニットの開口と連通する連通口１５２ａを複数有し、複数のフィルタユニットが連結され、フィルタユニットの外方から内方に液体が圧入されることで、当該フィルタユニットによって濾過された液体が、連通口１５２ａを通じて導入される複数のレジスタパイプ１５０と、フィルタユニットに代えて、レジスタパイプ１５０の連通口１５２ａを封止する封止部材４００と、を備える。【選択図】図７
2014233716.tif 000002
【特許請求の範囲】
【請求項１】
一端部に開口を有し、他端部に底部を有する筒形状の複数のフィルタユニットと、
前記フィルタユニットの開口と連通する連通口を複数有し、前記複数のフィルタユニットが連結され、該フィルタユニットの外方から内方に液体が圧入されることで、当該フィルタユニットによって濾過された液体が、該連通口を通じて導入される複数のレジスタパイプと、
前記フィルタユニットに代えて、前記レジスタパイプの連通口を封止する封止部材と、
を備えたことを特徴とする濾過装置。
【請求項２】
前記フィルタユニットは、
前記レジスタパイプの連通口と連通する開口を有する上部材と、
前記底部を構成する下部材と、
前記上部材と前記下部材との間に設けられ、筒形状を有するフィルタと、
を含んで構成され、
前記封止部材は、前記上部材と、前記下部材とが接合されてなることを特徴とする請求項１に記載の濾過装置。
【請求項３】
前記複数のフィルタユニットは、筒形状における軸心方向が鉛直方向となるように設けられるとともに、該複数のフィルタユニットを構成する各フィルタユニットは、他のフィルタユニットと水平方向の位置を異にして設けられており、
前記複数のフィルタユニットのうち、１または複数のフィルタユニットの鉛直下方には、濾過工程で生じた固体残渣を排出する固体残渣排出口が設けられ、
前記レジスタパイプへの前記複数のフィルタユニットの取り付け本数を最大本数未満とする場合、前記固体残渣排出口の鉛直上方における、前記封止部材に対する該フィルタユニットの比率が、該固体残渣排出口の鉛直上方以外における、該封止部材に対する該フィルタユニットの比率より高いことを特徴とする請求項１または２に記載の濾過装置。
【発明の詳細な説明】
【技術分野】
【０００１】
本発明は、フィルタを用いて固液混合液を固液分離する濾過装置に関する。
【背景技術】
【０００２】
従来、キャンドルタイプの濾過装置（例えば、特許文献１、２）が知られている。具体的に説明すると、キャンドルタイプの濾過装置は、固液混合液が導入されるベッセル（容器）と、ベッセル内に設けられ、一端に開口が形成され、長手方向が鉛直方向に配される筒形状の、濾過機能を有する複数のフィルタユニットと、長手方向が水平方向に配されて複数のフィルタユニットと連通し、フィルタユニットによって濾過された濾液をベッセル外に送出する複数のレジスタパイプとを含んで構成される。したがって、複数のフィルタユニットは、１のレジスタパイプによって、軸心方向が鉛直方向となるように、ベッセル内に吊り下げられている。
【０００３】
キャンドルタイプの濾過装置を用いて固液混合液を濾過する場合、ベッセル内に固液混合液を圧入する。そうすると、フィルタユニットの外方から内方へ液体が移動するとともに、フィルタユニットの外表面に固体が残留して、固液混合液が濾過（固液分離）されることとなる。そして、フィルタユニットによって濾過された液体（濾液）は、レジスタパイプを通じてベッセル外に送出される。
【先行技術文献】
【特許文献】
【０００４】
【特許文献１】特開昭５９−７６５１２号公報
【特許文献２】特開２０１１−６７７３１号公報
【発明の概要】
【発明が解決しようとする課題】
【０００５】
上述したように、キャンドルタイプの濾過装置は、１のレジスタパイプに複数のフィルタユニットが吊り下げられている。従来、１のレジスタパイプと複数のフィルタユニットとが一体的に扱われていたため、レジスタパイプ単位、すなわち、予め定められた数のフィルタユニット単位でしか着脱できず、濾過面積の調整の分解能が低く、所望する濾過面積に設定するのが難しかった。
【０００６】
そこで、本発明は、レジスタパイプ単位よりも細かい単位で濾過面積を調整することが可能な濾過装置の提供を目的とする。
【課題を解決するための手段】
【０００７】
上記課題を解決するために、本発明の濾過装置は、一端部に開口を有し、他端部に底部を有する筒形状の複数のフィルタユニットと、フィルタユニットの開口と連通する連通口を複数有し、複数のフィルタユニットが連結され、フィルタユニットの外方から内方に液体が圧入されることで、当該フィルタユニットによって濾過された液体が、連通口を通じて導入される複数のレジスタパイプと、フィルタユニットに代えて、レジスタパイプの連通口を封止する封止部材と、を備えたことを特徴とする。
【０００８】
また、フィルタユニットは、レジスタパイプの連通口と連通する開口を有する上部材と、底部を構成する下部材と、上部材と下部材との間に設けられ、筒形状を有するフィルタと、を含んで構成され、封止部材は、上部材と、下部材とが接合されてなるとしてもよい。
【０００９】
また、複数のフィルタユニットは、筒形状における軸心方向が鉛直方向となるように設けられるとともに、複数のフィルタユニットを構成する各フィルタユニットは、他のフィルタユニットと水平方向の位置を異にして設けられており、複数のフィルタユニットのうち、１または複数のフィルタユニットの鉛直下方には、濾過工程で生じた固体残渣を排出する固体残渣排出口が設けられ、レジスタパイプへの複数のフィルタユニットの取り付け本数を最大本数未満とする場合、固体残渣排出口の鉛直上方における、封止部材に対するフィルタユニットの比率が、固体残渣排出口の鉛直上方以外における、封止部材に対するフィルタユニットの比率より高いとしてもよい。
【発明の効果】
【００１０】
本発明によれば、レジスタパイプ単位よりも細かい単位で濾過面積を調整することが可能となる。
【図面の簡単な説明】
【００１１】
【図１】濾過装置を説明するための図である。
【図２】図１のＩＩ−ＩＩ線における鉛直断面（ＹＺ断面）の概略図である。
【図３】図１のＩＩＩ−ＩＩＩ線における水平断面（ＸＹ断面）図である。
【図４】フィルタユニットおよびレジスタパイプを説明するための図である。
【図５】フィルタユニットのレジスタパイプへの取り付けを説明するための図である。
【図６】濾過装置を用いた固液分離方法の処理の流れを説明するための図である。
【図７】本実施形態にかかる封止部材の構成例を説明するための図である。
【図８】封止部材のレイアウトを説明するための図である。
【発明を実施するための形態】
【００１２】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１３】
（濾過装置１００）
図１は、濾過装置１００を説明するための図であり、図２は、図１のＩＩ−ＩＩ線における鉛直断面（ＹＺ断面）の概略図であり、図３は、図１のＩＩＩ−ＩＩＩ線における水平断面（ＸＹ断面）図である。本実施形態の図１〜図３では、垂直に交わるＸ軸（水平方向）、Ｙ軸（水平方向）、Ｚ軸（鉛直方向）を図示の通り定義している。
【００１４】
これらの図に示すように、濾過装置１００は、ベッセル１１０と、被処理液導入口１２０と、流通口１３０と、フィルタユニット１４０と、レジスタパイプ１５０と、固体残渣排出口１６０と、排出弁１６２と、抜液配管１７０とを含んで構成される。
【００１５】
ベッセル１１０は、金属で構成された容器であり、固液混合液ＳＬ（被処理液）が導入される。本実施形態において、ベッセル１１０の内面には、ゴムやフッ素樹脂等のライニング加工が施されている。
【００１６】
被処理液導入口１２０は、ベッセル１１０の下部（フィルタユニット１４０の下方）に設けられた開口であって、ベッセル１１０内に固液混合液ＳＬを導入するための開口である。本実施形態において、被処理液導入口１２０には不図示のポンプが接続されており、ポンプが駆動されることによって、固液混合液ＳＬがベッセル１１０内に導入されることとなる。
【００１７】
流通口１３０は、ベッセル１１０における被処理液導入口１２０よりも上方、また、フィルタユニット１４０よりも上方に設けられた開口であって、固液混合液ＳＬや、気体（例えば、窒素Ｎ２）をベッセル１１０外に排出したり、圧縮気体（例えば、圧縮窒素Ｎ２）をベッセル１１０内に導入したりするための開口である。
【００１８】
フィルタユニット１４０は、軸心方向（長手方向）が鉛直方向（図１〜３中、Ｚ軸方向）に配されるように、ベッセル１１０内に複数設けられており、濾過機能を有するフィルタを含んで構成されるユニットである。フィルタユニット１４０の具体的な構成については、後に詳述する。
【００１９】
レジスタパイプ１５０は長手方向が水平方向（図１〜３中、Ｙ軸方向）に配されるように、ベッセル１１０内に複数設けられ、複数のフィルタユニット１４０が連結され、フィルタユニット１４０の外方から内方に液体が圧入されることで、当該フィルタユニット１４０によって濾過された液体（濾液ＦＬ）が、連通口１５２ａを通じて導入され、導入された濾液ＦＬをベッセル１１０外に送出するための管である。図１〜３に示すように、１のレジスタパイプ１５０には、複数（ここでは、２本、６本、８本、１０本、１２本のいずれか）のフィルタユニット１４０が、軸心方向を鉛直方向に沿わせるように吊り下げられて連結されている。また、レジスタパイプ１５０は、複数のフィルタユニット１４０が、水平面（図１〜３中、ＸＹ平面）上で格子状に配されるように、フィルタユニット１４０を連結する。
【００２０】
図４は、フィルタユニット１４０およびレジスタパイプ１５０を説明するための図であり、図４（ａ）はフィルタユニット１４０およびレジスタパイプ１５０の斜視図を、図４（ｂ）はフィルタユニット１４０の斜視図を、図４（ｃ）は上部材２５０の鉛直断面図を、図４（ｄ）は下部材２６０の鉛直断面図を示す。図４（ａ）、（ｂ）に示すように、フィルタユニット１４０は、キャンドルユニット２１０と、フィルタ２２０とを含んで構成される。
【００２１】
キャンドルユニット２１０は上部材２５０と、下部材２６０と、キャンドル本体２７０とを含んで構成される。
【００２２】
上部材２５０は、レジスタパイプ１５０の連通管１５２に形成された連通口１５２ａと連通する開口２５２を有する。また、上部材２５０には、キャンドルユニット２１０をレジスタパイプ１５０に連結するためのピン孔２５０ａが設けられている。下部材２６０は、フィルタユニット１４０の底部を構成する部材であり、有底筒形状の部材である。上部材２５０、下部材２６０は、例えば、ポリプロピレン等の樹脂やステンレス鋼等の金属で構成される。
【００２３】
キャンドル本体２７０は、図４（ｂ）に示すように、ライザーパイプ２７２と、キャンドルピース２７４とを含んで構成され、一方の端部が上部材２５０に接続され、他方の端部が下部材２６０に接続される。ライザーパイプ２７２は、筒形状を有する部材であり、ライザーパイプ２７２の外壁には、複数（ここでは、６本）のキャンドルピース２７４が取り付けられている。キャンドルピース２７４は、筒形状を有する部材であり、複数のスリット２７４ａが設けられている。
【００２４】
フィルタ２２０は、筒形状を有する濾布であり、キャンドルユニット２１０の外周に配される。
【００２５】
ここで、フィルタユニット１４０のレジスタパイプ１５０への取り付けについて説明する。図５は、フィルタユニット１４０のレジスタパイプ１５０への取り付けを説明するための図である。
【００２６】
図５（ａ）に示すように、まず、レジスタパイプ１５０の連通管１５２に設けられたピン孔１５２ｂと、キャンドルユニット２１０の上部材２５０に設けられたピン孔２５０ａとの位置を合わせ、ピン孔１５２ｂ、２５０ａにピン１５４を挿入して、キャンドルユニット２１０をレジスタパイプ１５０に吊り下げる。
【００２７】
そして、図５（ｂ）に示すように、キャンドルユニット２１０の外周およびレジスタパイプ１５０の連通管１５２に、筒形状のフィルタ２２０を被せて、フィルタ２２０における連通管１５２に対応する位置と、フィルタ２２０における下部材２６０に対応する位置とにホースバンド１５６を巻き回して固定する。このように、ホースバンド１５６で２箇所（フィルタ２２０における連通管１５２に対応する位置、フィルタ２２０における下部材２６０に対応する位置）固定することにより、フィルタユニット１４０をレジスタパイプ１５０に強固に取り付けることができる。したがって、フィルタユニット１４０内からフィルタユニット１４０外へ洗浄（逆洗）を行っても、フィルタユニット１４０がレジスタパイプ１５０から外れてしまう頻度を低減することができる。したがって、洗浄回数を増加させることができ、フィルタ２２０の目詰まりを抑制する、つまり、フィルタ２２０の寿命を延長することができる。
【００２８】
なお、本実施形態において、連通管１５２とフィルタ２２０の間、下部材２６０とフィルタ２２０の間、フィルタ２２０とホースバンド１５６の間にクッション材１５８を介在させている。これにより、キャンドルユニット２１０とフィルタ２２０、フィルタ２２０と連通管１５２とを密着させることが可能となる。
【００２９】
このようにしてフィルタユニット１４０がレジスタパイプ１５０に取り付けられる。そして、被処理液導入口１２０を通じてベッセル１１０内に固液混合液ＳＬが圧入されると、図４（ｂ）に示すように、固液混合液ＳＬは、フィルタ２２０によって濾過（固液分離）され、固体残渣ＳＲ（ケーキ）がフィルタ２２０の外表面に残留するとともに、濾液ＦＬがスリット２７４ａを通じてキャンドルピース２７４内に流入する。そして、キャンドルピース２７４内に流入した濾液ＦＬは、キャンドルピース２７４内を下方向に流れ、ライザーパイプ２７２に集まって上方に押し出されて、レジスタパイプ１５０に回収されることとなる。
【００３０】
図１、２に戻って説明すると、固体残渣排出口１６０は、ベッセル１１０における被処理液導入口１２０の下方、かつ、フィルタユニット１４０の下方に設けられた開口であって、濾過によって生じた固体残渣ＳＲをベッセル１１０外に排出するための開口である。排出弁１６２は、固体残渣排出口１６０を開閉する開閉弁である。
【００３１】
抜液配管１７０は、ベッセル１１０内における排出弁１６２の近傍に開口が位置し、濾過によって生じた液体残渣ＬＲをベッセル１１０外に排出するための配管である。
【００３２】
続いて、濾過装置１００を用いた、固液混合液ＳＬの固液分離方法について説明する。図６は、濾過装置１００を用いた固液分離方法の処理の流れを説明するための図である。濾過装置１００を用いた固液分離方法は、充液工程Ｓ３１０（図６（ａ））、循環工程Ｓ３１２（図６（ｂ））、濾過工程Ｓ３１４（図６（ｃ））、抜液工程Ｓ３１６（図６（ｄ））、ブロー工程Ｓ３１８（図６（ｅ））、ドレン抜き工程Ｓ３２０（図６（ｆ））、排圧工程Ｓ３２２（図６（ｇ））、固体残渣排出工程Ｓ３２４（図６（ｈ））、逆洗工程Ｓ３２６（図６（ｉ））、バックブロー工程Ｓ３２８（図６（ｊ））を含む。以下、各工程について説明する。
【００３３】
（充液工程Ｓ３１０）
まず、排出弁１６２を閉じ、被処理液導入口１２０、流通口１３０、および抜液配管１７０の出口、レジスタパイプ１５０の第１の出口を開いておく。そして、ポンプを駆動して、不図示の固液混合液貯留部から、図６（ａ）に示すように、被処理液導入口１２０を通じてベッセル１１０内に固液混合液ＳＬ（図６中、クロスハッチングで示す）を導入し、ベッセル１１０内を固液混合液ＳＬで充填する。ここで、流通口１３０、抜液配管１７０の出口、レジスタパイプ１５０の第１の出口は開放されているため、ベッセル１１０内に固液混合液ＳＬが導入されることによって、流通口１３０、抜液配管１７０、レジスタパイプ１５０の第１の出口からベッセル１１０内の空気が押し出されることとなる。なお、フィルタユニット１４０におけるフィルタ２２０内には、フィルタ２２０によって濾過された濾液ＦＬが導入され、レジスタパイプ１５０に送出される。
【００３４】
（循環工程Ｓ３１２）
次に、図６（ｂ）に示すように、被処理液導入口１２０を通じたベッセル１１０内への固液混合液ＳＬの導入を続行する。そして、レジスタパイプ１５０の第１の出口から送出される濾液ＦＬ（図６中、ハッチングで示す）を固液混合液貯留部に返送して、濾液ＦＬが清澄になるまで、固液混合液ＳＬを循環させる。ここで、フィルタ２２０によって分離された固体残渣ＳＲが沈降しないように、流通口１３０において、固液混合液ＳＬをオーバーフローさせる。なお、流通口１３０を通じてオーバーフローされた固液混合液ＳＬおよび抜液配管１７０から送出された固液混合液ＳＬは、固液混合液貯留部に返送される。
【００３５】
（濾過工程Ｓ３１４）
続いて、被処理液導入口１２０を通じたベッセル１１０内への固液混合液ＳＬの導入を続行して、図６（ｃ）に示すように、抜液配管１７０、レジスタパイプ１５０の第１の出口を閉じ、第１の出口とは異なる第２の出口を開いて、被処理液導入口１２０から固液混合液ＳＬを圧入する。そうすると、レジスタパイプ１５０の第２の出口から濾液ＦＬ（図６中、ハッチングで示す）が送出されるとともに、フィルタユニット１４０の外表面に固体残渣ＳＲ（図６中、黒い塗りつぶしで示す）が残留することとなる。
【００３６】
（抜液工程Ｓ３１６）
濾過工程Ｓ３１４が終了すると、ポンプの駆動を停止するとともに、被処理液導入口１２０、レジスタパイプ１５０の第２の出口を閉じる。また、レジスタパイプ１５０の第１の出口、および、抜液配管１７０の出口を開く。そして、図６（ｄ）に示すように、流通口１３０から圧縮気体（例えば、圧縮窒素Ｎ２）をベッセル１１０内に逆流させ、ベッセル１１０内を加圧状態とする。そうすると、ベッセル１１０内に残留した固液混合液ＳＬが抜液配管１７０を通じて、外部に排出され、レジスタパイプ１５０の第１の出口から濾液ＦＬおよび気体（窒素Ｎ２）が放出されることとなる。これにより、ベッセル１１０内から固液混合液ＳＬが排出されることとなる。なお、ベッセル１１２外に排出された固液混合液ＳＬおよび濾液ＦＬは、原液槽１０２に返送される。
【００３７】
（ブロー工程Ｓ３１８）
続いて、図６（ｅ）に示すように、抜液配管１７０の出口を閉じて、流通口１３０から圧縮気体を導入する。そうすると、圧縮気体によって、フィルタユニット１４０に残留した固体残渣ＳＲの脱水を行うことができる。また、ブロー工程Ｓ３１８は、レジスタパイプ１５０ごとに順次行う。
【００３８】
（ドレン抜き工程Ｓ３２０）
そして、図６（ｆ）に示すように、圧縮気体の導入を維持したまま、抜液配管１７０の出口を開く。そうすると、流通口１３０から導入される圧縮気体によって、ベッセル１１０内に残留した固液混合液ＳＬを、抜液配管１７０を通じて、ベッセル１１０外に排出することができる。
【００３９】
（排圧工程Ｓ３２２）
ドレン抜き工程Ｓ３２０が終了すると、圧縮気体の導入を停止するとともに、抜液配管１７０の出口を閉じる。そして、図６（ｇ）に示すように、流通口１３０、レジスタパイプ１５０の第１の出口を通じてベッセル１１２内の窒素を排出し、ベッセル１１０内の大気圧と同等にする。これにより、排出弁１６２を開く際の安全性を確保することができる。
【００４０】
（固体残渣排出工程Ｓ３２４）
続いて、レジスタパイプ１５０の第１の出口を閉じ、第２の出口を開く。そして、図６（ｈ）に示すように、排出弁１６２を開いて、レジスタパイプ１５０の第２の出口から圧縮気体（例えば、圧縮窒素Ｎ２）をバックブローする（逆流させる）。これにより、固体残渣ＳＲをフィルタユニット１４０から脱離させ、固体残渣排出口１６０からベッセル１１０外に排出することができる。なお、流通口１３０からは窒素Ｎ２が排出されることとなる。
【００４１】
（逆洗工程Ｓ３２６）
固体残渣排出工程Ｓ３２４が終了すると、排出弁１６２を閉じる。そして、図６（ｉ）に示すように、不図示のポンプを駆動して、レジスタパイプ１５０の第２の出口から洗浄液ＷＳを導入する。これにより、フィルタユニット１４０のフィルタ２２０の逆洗（洗浄）を行うことができる。
【００４２】
（バックブロー工程Ｓ３２８）
続いて、ポンプの駆動を停止して、レジスタパイプ１５０の第２の出口から圧縮気体（例えば、圧縮窒素Ｎ２）を導入する。これにより、フィルタユニット１４０のフィルタ２２０の逆洗（洗浄）を行うことができる。また、逆洗工程Ｓ３２６、バックブロー工程Ｓ３２８は、レジスタパイプ１５０ごとに順次行う。
【００４３】
そして、抜液配管１７０を開いて洗浄液ＷＳをベッセル１１０外に排出して、固液分離方法の一連の工程が終了することとなる。
【００４４】
以上説明したように、本実施形態にかかる濾過装置１００によれば、固液混合液ＳＬを効率よく固液分離（濾過）できる。
【００４５】
ここで、濾過装置１００の濾過面積を調整する場合、レジスタパイプ１５０ごとフィルタユニット１４０を外すことで、濾過面積を調整する構成が考えられるが、フィルタユニット１４０ごとといった細かい単位で濾過面積の調整を行いたいという要望がある。フィルタユニット１４０単位で濾過面積の調整を行う場合、レジスタパイプ１５０からフィルタユニット１４０を取り外せばよいが、この場合、フィルタユニット１４０を取り外した連通管１５２の連通口１５２ａが開口してしまうため、連通口１５２ａを封止する必要がある。
【００４６】
そこで、本実施形態の濾過装置１００は、上記構成要素に加えて、さらに、封止部材４００を備える。封止部材４００は、フィルタユニット１４０に代えて、レジスタパイプ１５０の連通口１５２ａを封止する部材である。フィルタユニット１４０に代えて、連通口１５２ａを封止部材４００で封止する構成により、レジスタパイプ１５０単位よりも細かい、フィルタユニット１４０単位で濾過面積を調整することが可能となる。
【００４７】
図７は、本実施形態にかかる封止部材４００の構成例を説明するための図である。図７に示すように、本実施形態において、封止部材４００は、フィルタユニット１４０の上部材２５０と、下部材２６０とが接合（溶接）されて構成される。
【００４８】
これにより、既存の部品を有効利用して製造することができ、設計に要する手間を省略することができる。
【００４９】
また、レジスタパイプ１５０への封止部材４００の取り付けを、レジスタパイプ１５０へのフィルタユニット１４０と実質的に等しくすることができる。具体的に説明すると、封止部材４００をレジスタパイプ１５０に取り付ける場合、まず、レジスタパイプ１５０の連通管１５２に設けられたピン孔１５２ｂと、図７（ｂ）に示す、封止部材４００を構成する上部材２５０に設けられたピン孔２５０ａとの位置を合わせ、ピン孔２５０ａにピン１５４を挿入して、封止部材４００をレジスタパイプ１５０に吊り下げる。
【００５０】
そして、封止部材４００の外周およびレジスタパイプ１５０の連通管１５２に、筒形状のフィルタ２２０を被せて、フィルタ２２０における連通管１５２に対応する位置と、フィルタ２２０における封止部材４００（下部材２６０）に対応する位置とにホースバンド１５６を巻き回して固定する。このように、ホースバンド１５６で２箇所（フィルタ２２０における連通管１５２に対応する位置、フィルタ２２０における封止部材４００に対応する位置）固定することにより、封止部材４００をレジスタパイプ１５０に強固に取り付けることができる。
【００５１】
なお、本実施形態において、連通管１５２とフィルタ２２０の間、封止部材４００（下部材２６０）とフィルタ２２０の間、フィルタ２２０とホースバンド１５６の間にクッション材１５８を介在させている。これにより、封止部材４００とフィルタ２２０、フィルタ２２０と連通管１５２とを密着させることが可能となり、封止部材４００で連通口１５２ａを確実に封止することができる。
【００５２】
また、封止部材４００は、ピン１５４と、ホースバンド１５６で取り付けているため、レジスタパイプ１５０から容易に取り外すことができる。
【００５３】
続いて、フィルタユニット１４０に代えて、封止部材４００をレジスタパイプ１５０に取り付ける際のレイアウトについて説明する。
【００５４】
図８は、封止部材４００のレイアウトを説明するための図である。封止部材４００を連結する場合、つまり、レジスタパイプ１５０へのフィルタユニット１４０の取り付け本数を最大本数未満とする場合、固体残渣排出口１６０の鉛直上方における、封止部材４００に対するフィルタユニット１４０の比率が、固体残渣排出口１６０の鉛直上方以外における、封止部材４００に対するフィルタユニット１４０の比率より高くなるように、フィルタユニット１４０および封止部材４００が配されるとよい。ここで、固体残渣排出口１６０の鉛直上方に配される連通口１５２ａ（フィルタユニット１４０、封止部材４００）は、水平方向の位置が固体残渣排出口１６０の範囲内に含まれる連通口１５２ａ（フィルタユニット１４０、封止部材４００）を示す。
【００５５】
本実施形態にかかる固体残渣排出口１６０は、ベッセル１１０の水平方向の中央に位置することから、ベッセル１１０の内壁に近い箇所に配される連通管１５２に封止部材４００（図８中、黒い塗りつぶしで示す）を配するとよい。
【００５６】
仮に、固体残渣排出口１６０の鉛直上方以外における、封止部材４００に対するフィルタユニット１４０の比率が、固体残渣排出口１６０の鉛直上方における、封止部材４００に対するフィルタユニット１４０の比率より高くなるように、フィルタユニット１４０および封止部材４００が配されるとする。この場合、上記固体残渣排出工程Ｓ３２４において、フィルタユニット１４０から脱離した固体残渣ＳＲが固体残渣排出口１６０に到達する前に、ベッセル１１０の内壁に衝突し、当該内壁に付着してしまう場合がある。そうすると、上記逆洗工程Ｓ３２６、バックブロー工程Ｓ３２８を行ったとしても、固体残渣ＳＲが固体残渣排出口１６０から排出されず、次の充液工程Ｓ３１０においても、固体残渣ＳＲがベッセル１１０内に残留してしまう。
【００５７】
そこで、固体残渣排出口１６０の鉛直上方における、封止部材４００に対するフィルタユニット１４０の比率が、固体残渣排出口１６０の鉛直上方以外における、封止部材４００に対するフィルタユニット１４０の比率より高くなるように、封止部材４００を配する構成により、固体残渣ＳＲがベッセル１１０の内壁に付着し、残留してしまう事態を抑制することが可能となる。
【００５８】
以上説明したように、本実施形態にかかる濾過装置１００によれば、フィルタユニット１４０に代えて、封止部材４００をレジスタパイプ１５０に取り付けるだけといった簡易な構成で、レジスタパイプ１５０単位よりも細かいフィルタユニット１４０単位で濾過面積を調整することができる。
【００５９】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００６０】
例えば、上記実施形態において、被処理液導入口１２０は、ベッセル１１０の下部に配される構成について説明したが、被処理液導入口１２０の位置に限定はない。同様に、流通口１３０が被処理液導入口１２０の上方に配される構成について説明したが、流通口１３０の位置に限定はない。
【００６１】
また、上記実施形態において、封止部材４００が上部材２５０と下部材２６０とを接合して構成される場合を例に挙げて説明したが、封止部材４００の構成に限定はなく、フィルタユニット１４０に代えて、レジスタパイプ１５０の連通口１５２ａを封止することができればよい。
【００６２】
また、上記実施形態において、フィルタユニット１４０に代えて封止部材４００をレジスタパイプ１５０に取り付けることにより、フィルタユニット１４０単位で濾過面積を調整することができる濾過装置１００について説明した。しかし、フィルタ２２０の長さＬを０<Ｌ<Ｌｍａｘ（Ｌｍａｘは、通常のフィルタユニット１４０を構成するフィルタ２２０の長さ）としたフィルタユニットに代えることで、さらに細かい単位で濾過面積を調整することができる。
【００６３】
また、上記実施形態において、ベッセル１１２の内面にはライニング加工が施される構成について説明したが、被処理液が腐食性ではない場合はライニング加工を施さなくてもよい。
【００６４】
また、上記実施形態において、キャンドルピース２７４には複数のスリット２７４aが設けられている構成について説明したが、スリット２７４aの代わりに丸穴等としてもよい。
【産業上の利用可能性】
【００６５】
本発明は、フィルタを用いて固液混合液を固液分離する濾過装置に利用することができる。
【符号の説明】
【００６６】
１００  濾過装置
１４０  フィルタユニット
１５０  レジスタパイプ
１５２ａ  連通口
１６０  固体残渣排出口
２２０  フィルタ
２５０  上部材
２６０  下部材
４００  封止部材
【図１】
2014233716.tif 000003
【図２】
2014233716.tif 000004
【図３】
2014233716.tif 000005
【図４】
2014233716.tif 000006
【図５】
2014233716.tif 000007
【図６】
2014233716.tif 000008
【図７】
2014233716.tif 000009
【図８】
2014233716.tif 000010